(57)【要約】【課題】過大な力が加わった場合にも部材の破損を確実に防止することができ、かつ、美観を向上させる上で有利な接続装置を提供する。【解決手段】接続装置１０を壁面などに設けられたモジュラージャックに接続する場合には、第１のケース１４と第２のケース１６とを結合状態とする。次いで、第１、第２のケース１４、１６が結合された状態で、第１のケース１４のモジュラープラグ１２を前記モジュラージャックに挿入し押込む。これにより、モジュラープラグ１２がモジュラージャックに接続された状態で固定される。接続装置１０がモジュラージャックに接続された状態で、該接続装置１０の第２のケース１６の部分に物がぶつかるなどして力が加わった場合には、第１、第２のケース１４、１６の結合が解除されて分離される。【選択図】        図２
2005011952.tif 000002
【特許請求の範囲】
【請求項１】
電話回線が接続されたモジュラージャックに接続されるモジュラープラグと、
前記モジュラープラグが一体的に設けられた第１のケースと、
前記第１のケースに対して係脱可能に結合される第２のケースと、
前記第２のケースに収容され前記電話回線を介して送受信される信号を電話の音声信号とコンピュータ通信用の通信信号とに分離するフィルタ手段と、
前記第２のケースに設けられ前記フィルタ手段によって分離された前記音声信号が供給される電話用モジュラージャックと、
前記第２のケースに設けられ前記フィルタ手段によって分離された前記通信信号が供給される通信用モジュラージャックと、
前記モジュラープラグと前記フィルタ手段を接続し前記電話回線を介して送受信される信号を前記フィルタ手段に伝達するコードとを備え、
前記コードは、前記第１のケースと第２のケースが互いに結合した結合状態では前記第１のケースと第２のケースの内側に収容され、前記第１のケースと第２のケースの結合が解除された分離状態では前記第１のケースと第２のケースとの間から露出し前記第１のケースと第２のケースとを連結するように構成されている、
ことを特徴とする接続装置。
【請求項２】
前記第１のケースと第２のケースの結合を解除するために必要な所定の力は、前記モジュラープラグが前記モジュラージャックに接続された状態で、前記所定の力が前記第２のケースを介して前記モジュラープラグに作用したときに、前記モジュラープラグおよびモジュラージャックの双方に破損が生じないように設定されていることを特徴とする接続装置。
【請求項３】
前記第１のケースは第１の嵌合部を有し、前記第２のケースは前記第１の嵌合部に嵌合される第２の嵌合部を有し、前記第１、第２のケースの係脱は前記第１、第２の嵌合部の嵌脱によって行なわれることを特徴とする請求項１記載の接続装置。
【請求項４】
前記第１のケースは厚さと厚さよりも大きな寸法の幅と長さを有する矩形板状を呈するように構成され、前記第２のケースは前記第１のケースとほぼ同一の寸法の厚さと幅を有するとともに前記第１のケースの長さよりも大きな寸法の長さを有する矩形板状を呈するように構成され、前記第１のケースの長さ方向の一端が前記第２のケースの長さ方向の一端に結合するように構成され、前記電話用モジュラージャックと通信用モジュラージャックは前記第２のケースの長さ方向の他端に設けられていることを特徴とする請求項１記載の接続装置。
【請求項５】
前記第１のケースは厚さと厚さよりも大きな寸法の幅と長さを有する矩形板状を呈するように構成され、前記モジュラープラグは前記第１のケースの厚さ方向の一方に設けられていることを特徴とする請求項１記載の接続装置。
【請求項６】
前記モジュラープラグには前記モジュラージャックの係合部に係合する係合爪が設けられ、前記第１のケースには、操作部材と、該操作部材の操作により前記係合爪の前記係合部に対する係合を解除させる係合解除手段とが設けられていることを特徴とする請求項１記載の接続装置。
【請求項７】
前記第１のケースは厚さと厚さよりも大きな寸法の幅と長さを有する矩形板状を呈するように構成され、前記モジュラープラグは前記第１のケースの厚さ方向の一方に設けられ、前記モジュラープラグには前記モジュラージャックの係合部に係合する係合爪が設けられ、前記第１のケースには、操作部材と、該操作部材の操作により前記係合爪の前記係合部に対する係合を解除させる係合解除手段とが設けられ、前記操作部材は前記第１のケースの幅方向から操作できるように構成されていることを特徴とする請求項１記載の接続装置。
【請求項８】
前記第２のケースは、２つのケース半体を熱溶着によって接合することによって構成され、前記第２のケースの内側から外側にわたって延在する筒状のスリーブが、前記２つのケース半体が熱溶着された箇所を通って設けられ、前記コードは前記スリーブを通って配設されることを特徴とする請求項１記載の接続装置。
【請求項９】
前記第１のケースは嵌合凹部を有し、前記第２のケースは、２つのケース半体を熱溶着によって接合することによって構成され、前記第２のケースの内部には連結部材が収容固定され、前記連結部材には、前記２つのケース半体の接合箇所に挟まれ前記第２のケースの内側から外側にわたって延在する筒状のスリーブと、前記２つのケース半体の接合箇所に挟まれ前記第２のケースの内側から外側に突出し前記嵌合凹部に嵌合可能な嵌合凸部とが設けられ、前記コードは前記スリーブを通って配設され、前記第１、第２のケースの係脱は前記嵌合凹部と嵌合凸部の嵌脱によって行なわれることを特徴とする請求項１記載の接続装置。
【発明の詳細な説明】
【０００１】
【発明の属する技術分野】
本発明は接続装置に関するものである。
【０００２】
【従来の技術】
建物の壁面などに設けられ電話回線に接続されたモジュラージャックに接続され、前記電話回線を介して送受信される信号を電話の音声信号とＡＤＳＬなどのコンピュータ通信用の通信信号とに分離する接続装置がある。
このような接続装置は、前記モジュラージャックに接続されるモジュラープラグと、該モジュラープラグにケーブルを介して接続された本体とを有し、該本体には、音声信号用のモジュラージャックと通信信号用のモジュラージャックが設けられている。
したがって、前記モジュラージャックにモジュラープラグを接続すると、前記本体はケーブルを介してモジュラージャックからぶら下がった状態となっている。
このため、前記本体に対して物が引っかかるなどして過大な力が加わると前記モジュラープラグ、モジュラージャック、ケーブル、本体などに力が加わってこれらの部材が破損するおそれがある。
このような不都合を解消するために、過大な力が加わったときにモジュラージャックとモジュラープラグの係合が解除されるように構成されたモジュラージャックが提供されている（例えば特許文献１）。
【０００３】
【特許文献１】
特開平１０−４１００３号公報
【０００４】
【発明が解決しようとする課題】
しかしながら、上述したモジュラージャックを用いることができない環境では部材の破損を防止することができないという不都合があった。
また、上述した従来の接続装置では、本体が壁面からぶら下がった状態となり美観を向上させる上で不利であった。
本発明は、このような事情に鑑みてなされ、その目的とするところは、過大な力が加わった場合にも部材の破損を確実に防止することができ、かつ、美観を向上させる上で有利な接続装置を提供することにある。
【０００５】
【課題を解決するための手段】
本発明は前記目的を達成するために、電話回線が接続されたモジュラージャックに接続されるモジュラープラグと、前記モジュラープラグが一体的に設けられた第１のケースと、前記第１のケースに対して係脱可能に結合される第２のケースと、前記第２のケースに収容され前記電話回線を介して送受信される信号を電話の音声信号とコンピュータ通信用の通信信号とに分離するフィルタ手段と、前記第２のケースに設けられ前記フィルタ手段によって分離された前記音声信号が供給される電話用モジュラージャックと、前記第２のケースに設けられ前記フィルタ手段によって分離された前記通信信号が供給される通信用モジュラージャックと、前記モジュラープラグと前記フィルタ手段を接続し前記電話回線を介して送受信される信号を前記フィルタ手段に伝達するコードとを備え、前記コードは、前記第１のケースと第２のケースが互いに結合した結合状態では前記第１のケースと第２のケースの内側に収容され、前記第１のケースと第２のケースの結合が解除された分離状態では前記第１のケースと第２のケースとの間から露出し前記第１のケースと第２のケースとを連結するように構成されていることを特徴とする。
そのため、接続装置を壁面などに設けられたモジュラージャックに接続する場合には、第１のケースと第２のケースとを結合状態とする。次いで、第１、第２のケースが結合された状態で、第１のケースのモジュラープラグをモジュラージャックに挿入し押込む。これにより、モジュラープラグがモジュラージャックに接続された状態で固定される。接続装置とモジュラージャックの接続を解除する場合には、第１、第２のケースをモジュールジャックから離間させる。
接続装置がモジュラージャックに接続された状態で、該接続装置の第２のケースの部分に物がぶつかるなどして力が加わった場合には、第１、第２のケースの結合が解除されて分離される。
【０００６】
【発明の実施の形態】
次に、本発明の実施の形態について図面を参照して説明する。
図１は本発明の実施の形態の接続装置の斜視図、図２（Ａ）は接続装置の正面断面図、（Ｂ）は側面断面図、図３は接続装置のブロック図、図４は接続装置の第１のケースを斜め下方から見た斜視図、図５は操作部材の斜視図、図６（Ａ）は操作部材が非解除位置にある状態を示す図、（Ｂ）は操作部材が解除位置にある状態を示す図、図７は第２のケースを斜め上方から見た斜視図である。
【０００７】
図１、図２に示すように、接続装置１０は、第１のケース１４、第２のケース１６、これら第１のケース１４と第２のケース１６の間を連結するコード２４などを備えている。
図１、図２、図４に示すように、第１のケース１４は、上壁と、上壁縁部全周から垂設された側壁とを有し、前記側壁は前側に位置する前半体１４０１Ａと後側に位置する後半体１４０１Ｂとを有し、第１のケース１４は、厚さと厚さよりも大きな寸法の幅と長さを有する矩形板状を呈するように構成されている。
第１のケース１４の内側にはコード２４の一部分を収容する収容空間が形成され、この収容空間は前記側壁の下端の内側で開放されている。
前半体１４０１Ａにはモジュラープラグ１２が一体的に設けられ該モジュラープラグ１２は前記側壁から該側壁と直交する方向に突出している。
モジュラープラグ１２は、コード２４の一端が接続されるとともに、例えば壁面などに設けられ電話回線が接続されたモジュラージャック（不図示）に接続される。
【０００８】
図２（Ｂ）に示すように、モジュラープラグ１２には前記モジュラージャックの係合部に係合する係合爪１２０２が設けられている。この係合爪１２０２は、モジュラープラグ１２の下面の先端からモジュラープラグ１２の基端に向けて突出するように設けられ、係合爪１２０２の先端がモジュラープラグ１２の基端から離れるようにモジュラープラグ１２の延在方向に対して斜めに延在して設けられている。そして、図６に示すように、係合爪１２０２の先端には、該先端を中心として第１のケース１４の幅方向の両側に直線状に延在する軸状の当接部１２０４が形成されている。
【０００９】
図４に示すように、前半体１４０１Ａには、２つの操作部材１４０２と、これら操作部材１４０２の操作により係合爪１２０２の前記係合部に対する係合を解除させる係合解除手段とが設けられている。
図５に示すように、操作部材１４０２は、直線状に延在する帯板状の接続板１４０４と、接続板１４０４の一端に接続された操作片１４０６と、接続板１４０４の他端に接続されたカム片１４０８とを有している。
各操作部材１４０２は、接続板１４０４が前半体１４０１Ａの各ガイド溝１４１０にスライド可能に挿通され互いにカム片１４０８が対向した状態となっている。この状態で、各操作片１４０６は、第１のケース１４の幅方向外方に突出した状態となっており、第１のケース１４の幅方向から押圧操作できるように構成されている。
また、各カム片１４０８は、当接部１２０４の２つの端部に当接するカム面１４０８Ａを有し、操作片１４０８が幅方向の中心寄りに移動されたときに、各カム面１４０８Ａが当接部１２０４の各端部を押圧することで係合爪１２０２を前記係合部との係合が解除される方向に変位させるように構成されている。
本実施の形態では、各ガイド溝１４１０、カム片１４０８、当接部１２０４によって前記係合解除手段が構成されている。
【００１０】
また、第１のケース１４の下端（長さ方向の一端）の内側には、厚さ方向に延在する２つの連結体１４０３が幅方向に間隔をおいて設けられている。
各連結体１４０３の前半体１４０１Ａ寄り箇所にはそれぞれ位置決めピン１４１２が下方に向かって突設され、各連結体１４０３の延在方向のほぼ中心箇所には嵌合凹部１４１４（特許請求の範囲の第１の嵌合部に相当）が下方に臨んで設けられている。
【００１１】
図１、図２に示すように、第２のケース１６は、上壁１６０２と、上壁縁部全周から垂設された側壁と、側壁の下端を接続する下壁１６０４とを有し、第１のケース１４とほぼ同一の寸法の厚さと幅を有するとともに第１のケース１４の長さよりも大きな寸法の長さを有する矩形板状を呈するように構成され、第２のケース１６の内側には、フィルタ手段１８とコード２４の残り部分とを収容する収容空間が形成されている。
また、下壁１６０４には、電話用モジュラージャック２０と通信用モジュラージャック２２が幅方向に間隔をおいて下方に臨んで設けられている。
【００１２】
また、第２のケース１６は、２つのケース半体、すなわち前半体１６０１Ａと後半体１６０１Ｂを熱溶着によって接合することによって構成され、第２のケース１６には連結部材１７が配設されている。
連結部材１７は、基板１７０１と、基板１７０１の中央に設けられたスリーブ１７０２と、スリーブ１７０２の両側の基板１７０１箇所に設けられた嵌合凸部１７０４（特許請求の範囲の第２の嵌合部に相当）とを備えている。
基板１７０１は、上壁１６０２の下側箇所に収容固定されている。
図２、図７に示すように、スリーブ１７０２は、前半体１６０１Ａ、後半体１６０１Ｂの接合箇所１６０３に挟まれ第２のケース１６の内側から外側にわたって延在している。
コード２４はスリーブ１７０２を通って配設されている。
したがって、コード２４をスリーブ１７０２に挿通させた状態で前半体１６０１Ａ、後半体１６０１Ｂを熱溶着によって接合する際、該熱溶着による熱がコード２４に伝わることがスリーブ１７０２によって防止され、コード２４が加熱されて溶けたり変形したりすることが防止されるようになっている。
嵌合凸部１７０４は、前半体１６０１Ａ、後半体１６０１Ｂの接合箇所に挟まれ第２のケース１６の内側から外側に突出し第１のケース１４の各嵌合凹部１４１４に嵌合可能に設けられている。
前半体１６０１Ａの上部には、各位置決めピン１４１２が挿入可能な２つの位置決め孔１６０５が設けられている。
したがって、各位置決めピン１４１２を各位置決め孔１６０５に挿入することによって第１、第２のケース１４、１６はそれぞれの前後方向が一致し、その状態で、各嵌合凹部１４１４に各嵌合凸部１７０４を嵌合することによって第１のケース１４と第２のケース１６とが結合され、各嵌合凹部１４１４と各嵌合凸部１７０４の嵌合を解除することで第１のケース１４と第２のケース１６とが分離されるように構成されている。すなわち、第１、第２のケース１４、１６の係脱は、各嵌合凹部１４１４と各嵌合凸部１７０４の嵌脱によって行なわれる。
【００１３】
また、第１のケース１４と第２のケース１６の結合の解除は、第１のケース１４と第２のケース１６の間に所定の力が作用し、これにより嵌合凹部１４１４と嵌合凸部１７０４との嵌合が解除されることでなされる。
本実施の形態では、前記所定の力、すなわち、嵌合凹部１４１４と嵌合凸部１７０４との嵌合を解除するために必要な力は、モジュラープラグ１２が前記モジュラージャックに接続された状態で、該所定の力が第２のケース１６を介してモジュラープラグ１２に作用したときに、モジュラープラグ１２およびモジュラージャックの双方に破損が生じないように設定されている。
【００１４】
図３に示すように、フィルタ手段１８はコード２４の他端が接続され、前記電話回線に接続されたモジュラープラグ１２からコード２４を介して送受信される信号を電話の音声信号とコンピュータ通信用の通信信号とに分離するものである。
詳細には、フィルタ手段１８は、前記コード２４を介して送受信される信号のうち電話の音声信号に相当する周波数帯域の信号を通過させて電話用モジュラージャック２０に供給する音声用フィルタ部１８０２と、前記モジュラープラグ１２に接続され前記信号のうちＡＤＳＬの通信信号に相当する周波数帯域の信号を通過させて通信用モジュラージャック２２に供給するＡＤＳＬ用フィルタ部１８０４とを備え、これら音声用フィルタ部１８０２、ＡＤＳＬ用フィルタ部１８０４はプリント基板に実装された電子部品によって構成されている。
【００１５】
コード２４は、第１のケース１４に収容されている部分が不図示の固定部材により第１のケース１４に固定されることで、コード２４が引っ張られたときにその力がモジュラープラグ１２に加わらないように構成されるとともに、第２のケース１６に収容されている部分にスリーブ１７０２の内径よりも大きな抜け止め部材が設けられることで、コード２４が引っ張られたときにその力がフィルタ手段１８に加わらないように構成されている。
また、図１に示すように、コード２４は、第１、第２のケース１４、１６が分離したときに、これら第１、第２のケース１４、１６が所定の間隔をおいて連結されるような長さで構成され、第１、第２のケース１４、１６が結合したときに、コード２４の中間部分が第１のケース１４の収容空間に収容されるように構成されている。
【００１６】
次に上述のように構成された接続装置１０の使用方法について説明する。
接続装置１０を壁面のモジュラージャックに接続する場合には、各位置決めピン１４１２を各位置決め孔１７０６に挿入するとともに、各嵌合凹部１４１４に各嵌合凸部１７０４を嵌合することによって第１のケース１４と第２のケース１６とを結合状態とする。
次いで、第１、第２のケース１４、１６が結合された状態で、第１のケース１４の前半体１４０１Ａを壁面に臨ませつつ、モジュラープラグ１２を壁面のモジュラージャックに挿入し押込む。
これにより、モジュラープラグ１２の係合爪１２０２が前記モジュラージャックの係合部に係合され、これによりモジュラープラグ１２が前記モジュラージャックに接続された状態で固定される。この際、第１、第２のケース１４、１６の壁面に臨む部分が壁面に当接するため、接続装置１２のモジュラージャックへの取付が確実になされる。
また、この状態では、図６（Ａ）に示すように、各操作部材１４０２は、カム片１４０８のカム面１４０８Ａが当接部１２０４の端部に当接された状態で互いに離間した状態となっている。
そして、電話用モジュラージャック２０には電話機に接続されたケーブルのモジュラープラグが接続され、前記電話機によって音声信号の通信がなされる。また、通信用モジュラージャック２２にはパーソナルコンピュータに接続されたケーブルのモジュラープラグが接続され、前記パーソナルコンピュータによって通信信号の通信が行なわれる。
【００１７】
接続装置１０と壁面のモジュラージャックの接続を解除する場合には、図６（Ｂ）に示すように、第１のケース１４の幅方向から２つの操作片１４０６を指で挟んで互いに近接する方向に押圧する。すると、カム片１４０８が幅方向の中心寄りに移動され、各カム面１４０８Ａが当接部１２０４の各端部を押圧することで係合爪１２０２が変位され前記係合部との係合が解除される。この状態で結合された状態の第１、第２のケース１４、１６を把持して前記モジュールジャックから離間させることにより、接続装置１０とモジュラージャックの接続が解除される。
【００１８】
次に上述のように構成された接続装置１０の作用、効果について説明する。
接続装置１０は、第１のケース１４に一体的に設けられたモジュラープラグ１２を壁面などに設けられているモジュラージャックに直接接続されるので、接続装置がモジュラージャックからケーブルを介してぶら下がる場合と比較して、美観を向上させる上で有利となる。また、接続装置１０が広い場所を占有しないため配線するために必要なスペースを低減する上でも有利となる。
また、接続装置がモジュラージャックに接続された状態で、該接続装置の第２のケース１６の部分に物がぶつかるなどして力が加わった場合には、第２のケース１６の部分に加わった力が、前記所定の力よりも大きいと、すなわち、嵌合凹部１４１４と嵌合凸部１７０４との嵌合を解除するために必要な力よりも大きいと、嵌合凹部１４１４と嵌合凸部１７０４との嵌合が解除され、第１、第２のケース１４、１６が分離される。
したがって、前記所定の力よりも大きな力がモジュラープラグ１２およびモジュラージャックに作用しないので、モジュラープラグ１２およびモジュラージャックの破損を確実に防止することができる。
【００１９】
また、本実施の形態では、第２のケース１６に連結部材１７を設け、該連結部材１７に２つの嵌合凸部１７０４を設けることで、第２のケース１６と２つの嵌合凸部１７０４とを別部材で構成した。したがって、第２のケース１６を構成する前半体１６０１Ａと後半体１６０１Ｂを熱溶着による接合に適した合成樹脂であるＡＳＥ材料やＡＢＳ材料で形成することにより製造の容易化を図るとともに、２つの嵌合凸部１７０４を構成する連結部材１７を耐久性に優れたＰＯＭ（ポリアセタール）などの材料で形成することにより、嵌合凸部１７０４の長寿命化を図ることができる。
無論、第２のケース１６と嵌合凸部とを一体的に形成してもよく、この場合は部品点数を削減してコストダウンを図ることができる。
【００２０】
なお、本実施の形態では、連結部材１７にスリーブ１７０２と嵌合凸部１７０４の双方を設けたが、スリーブは連結部材１７と別体に構成してもよく、この場合には、第２のケースの内側から外側にわたって延在する筒状のスリーブが、前半体１６０１Ａと後半体１６０１Ｂが熱溶着された箇所１６０３を通って設けられ、コード２４がスリーブを通って配設されるようにすればよい。
この場合も本実施の形態と同様に、コード２４をスリーブ１７０２に挿通させた状態で前半体１６０１Ａと後半体１６０１Ｂを熱溶着によって接合する際、該熱溶着による熱がコード２４に伝わることが前記スリーブによって防止され、コード２４が加熱されて溶けたり変形したりすることを防止できる。
また、本実施の形態では、第１、第２のケース１４、１６を結合した状態でモジュラージャックに接続したが、第１、第２のケース１４、１６を分離した状態でモジュラージャックに接続して使用してもよいことは無論である。
また、本実施の形態では、フィルタ手段１８によって分離される通信信号をＡＤＳＬ信号としたが、分離される通信信号はＡＤＳＬ信号以外の種々の通信信号であってもよいことは勿論であり、本発明の接続装置は、電話回線を介して送受信される信号を電話の音声信号とＡＤＳＬの通信信号とに分離するいわゆるスプリッターに限定されるものではない。
【００２１】
【発明の効果】
以上説明したように、本発明によれば、過大な力が加わった場合にも部材の破損を確実に防止することができ、かつ、美観を向上させる上で有利な接続装置を提供することができる。
【図面の簡単な説明】
【図１】本発明の実施の形態の接続装置の斜視図である。
【図２】（Ａ）は接続装置の正面断面図、（Ｂ）は側面断面図である。
【図３】接続装置のブロック図である。
【図４】接続装置の第１のケースを斜め下方から見た斜視図である。
【図５】操作部材の斜視図である。
【図６】（Ａ）は操作部材が非解除位置にある状態を示す図、（Ｂ）は操作部材が解除位置にある状態を示す図である。
【図７】第２のケースを斜め上方から見た斜視図である。
【符号の説明】
１０……接続装置、１２……モジュラープラグ、１４……第１のケース、１６……第２のケース、１７……連結部材、１８……フィルタ手段、２０……電話用モジュラージャック、２２……通信用モジュラージャック、２４……コード。
【図１】
2005011952.tif 000003
【図２】
2005011952.tif 000004
【図３】
2005011952.tif 000005
【図４】
2005011952.tif 000006
【図５】
2005011952.tif 000007
【図６】
2005011952.tif 000008
【図７】
2005011952.tif 000009